(57)【要約】【課題】ソケットをコンパクト化する。【解決手段】ソケット本体１１の内側に電極１２を挿着し、蓋部材１３で蓋をし、さらに、防水カバー１４を被嵌する。ＥＥＦＬ管１をソケット本体１１に挿着し、その接触面３を電極１２の接触部３０に接触させる。リード線４の先端の芯線５を、防水カバー１４、蓋部材１３を貫通させて、電極１２のフランジ部３１の接続部３５，３５に取り付ける。各接続部３５は、中心軸Ｘからはずれた、ＥＥＦＬ管１に干渉しない位置に、観音開き状に切り起こされた一対の舌片３６，３６を有し、舌片３６，３６の先端縁の間に挿着間隙Ｇを構成している。この挿着間隙Ｇに芯線５を差し込む。舌片がフランジ部の中央近傍に形成されていた従来と比較して、全体の長さを短くすることができる。【選択図】図１
2007335161.tif 000002
【特許請求の範囲】
【請求項１】
中心軸に沿った両端部にそれぞれ開口部を有する円筒状のソケット本体と、ソケット本体内に収納された電極であって、一方の前記開口部から挿着される外部電極蛍光ランプの端部の接触面に接触する接触部と前記接触部に連続するとともに他方の前記開口部を塞ぐように配置されるフランジ部とを有する電極と、他方の前記開口部を前記フランジ部の外側から閉蓋する蓋部材と、を備えた外部電極蛍光ランプ用のソケットにおいて、
前記電極の前記フランジ部は、内面に前記外部電極蛍光ランプの前記端部の端縁が接触されるとともに、前記端部に干渉しない位置に外面側からリード線の先端がそれぞれ差し込まれる２箇所の接続部が形成され、
前記接続部は、前記リード線の先端の挿入方向に観音開き状に開かれた状態でそれぞれの先端縁の間に前記リード線の先端が差し込まれる挿着間隙を構成する一対の舌片を有し、
前記蓋部材は、２箇所の前記接続部に対応する位置に、前記リード線が貫通するための透孔を有する、
ことを特徴とする外部電極蛍光ランプ用のソケット。
【請求項２】
前記電極の２箇所の前記接続部は、前記フランジ部における中心から外れた位置で、かつ前記中心に対してほぼ点対称の位置に配置されている、
ことを特徴とする請求項１に記載の外部電極蛍光ランプ用のソケット。
【請求項３】
前記ソケット本体は、前記リード線の先端が前記接続部に挿入される際の反力要素となるストッパ部を有する、
ことを特徴とする請求項１又は２に記載の外部電極蛍光ランプ用のソケット。
【請求項４】
前記蓋部材に対応する底部と前記ソケット本体の外周面に対応する筒部とを有し、前記蓋部材に被嵌されて前記ソケット本体の内部を密閉する防水カバーを備え、
前記底部には、前記蓋部材の前記透孔に対応する位置に、前記リード線が貫通する防水ボスが形成されている、
ことを特徴とする請求項１ないし３のいずれか１項に記載の外部電極蛍光ランプ用のソケット。
【請求項５】
前記防水カバーの前記筒部は、前記ソケット本体の外周面に接触する内周面に、環状の第１防水凸部を有する、
ことを特徴とする請求項４に記載の外部電極蛍光ランプ用のソケット。
【請求項６】
前記防水カバーの前記筒部は、前記外部電極蛍光ランプが筒状のケース内に収納されている場合の前記ケースの外周面に接触する内周面に、環状の第２防水凸部を有する、
ことを特徴とする請求項５に記載の外部電極蛍光ランプ用のソケット。
【発明の詳細な説明】
【技術分野】
【０００１】
本発明は、複数の外部電極蛍光ランプを電気的に接続する際に使用する外部電極蛍光ランプ用のソケットに関する。
【背景技術】
【０００２】
従来から液晶のバックライトとして、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ管）が使用されている。
【０００３】
このＥＥＦＬ管（例えば、特許文献１参照）は、従来の蛍光ランプと比較して、細い、長寿命、低温、電気代が安い、ムラがない、演色性が高い（色の演出が自在）などの利点がある。
【０００４】
近時、ＥＥＦＬ管は、このような利点から、広告用の光源として注目を集めている。広告用として多数のＥＥＦＬ管を使用する場合、各ＥＥＦＬ管の端部をソケットに挿入し、隣接するソケットを順次にリード線で接続して全体を構成する。
【０００５】
従来のソケットは、両端に開口部を有する円筒状のソケット本体と、このソケット本体の内側に収納された電極と、開口部を閉蓋する蓋部材と備えている。図７に従来の電極１１２を示す。（ａ）は正面図、（ｂ）は上面図、（ｃ）は上面図に対応する左側面図である。ＥＥＦＬ管１の端部には、接触面３が設けてあり、この接触面３をソケット本体の蓋部材のない側の開口部から挿入して、電極１１２に接触させる。電極１１２には、接触面３が接触される接触部１３０と、蓋部材に隣接するフランジ部１３１と、これら接触部１３０とフランジ部１３１とを連結する連結部１３２が設けてあり、このフランジ部１３１には、リード線４の先端の芯線５（以下適宜「リード線４の先端」という。）が接続される接続部としての舌片１３６，１３６が２箇所に形成されている。蓋部材におけるこの舌片１３６，１３６に対応する位置には、リード線４の先端が貫通される透孔が穿設されている。舌片１３６，１３６は、短冊状に形成されていて、基端部を基準に先端部を内面１３８側に切り起こすように、片もち状態で形成されている。この舌片１３６，１３６の先端縁１３７，１３７と、連結部１３２との間に形成される挿着間隙Ｇにリード線４の先端を差し込むことで、リード線４を電極１１２に固定するようにしている。このリード線４の他方の先端は、隣接するソケットの電極に同様にして差し込まれる。
【発明の開示】
【発明が解決しようとする課題】
【０００６】
しかしながら、上述のソケットによると、以下のような問題があった。
（１）舌片１３６，１３６がフランジ部１３１の中央近傍において、内面１３８側に切り起こされているので、ソケットにＥＥＦＬ管１を挿着した際に、その端縁７が舌片１３６，１３６に緩衝してフランジ部１３８の内面１３８まで届かない。このため、ソケット及びＥＥＦＬ管１を含む全体の長さ（全長：長手方向の長さ）が長くなる。
（２）全長が長くなるのを防止するために、例えば、舌片１３６，１３６をフランジ部１３１の中央近傍からずらして設けた場合には（後述する観音開き状と比較して）、電極１１２のフランジ部１３１の面積が大きくなってソケット全体の直径が大きくなる（太さが太くなる）。
（３）舌片１３６が片持ち状態で形成されているため（後述する観音開き状と比較して）、挿着空間Ｇにリード線４の先端を挿入する際、舌片１３６が開きにくく、円滑な挿入動作ができない。
（４）リード線４の先端が挿着空間Ｇに差し込まれた後、リード線４に引き抜き方向の力が作用した場合（後述する観音開き状と比較して）、舌片１３６に閉じ方向の力は作用はするものの、その力が小さいために、リード線４が抜けやすい、
等の問題である。
【０００７】
そこで、本発明は、上述の問題を解決するようにした、すなわち全長及び径方向の長さが増加するのを防止することができ、しかも、リード線の円滑な挿入が可能で、挿入後には抜けにくくした外部電極蛍光ランプ用のソケットを提供することを目的とするものである。
【課題を解決するための手段】
【０００８】
請求項１に係る発明は、中心軸に沿った両端部にそれぞれ開口部を有する円筒状のソケット本体と、ソケット本体内に収納された電極であって、一方の前記開口部から挿着される外部電極蛍光ランプの端部の接触面に接触する接触部と前記接触部に連続するとともに他方の前記開口部を塞ぐように配置されるフランジ部とを有する電極と、他方の前記開口部を前記フランジ部の外側から閉蓋する蓋部材と、を備えた外部電極蛍光ランプ用のソケットに関する。この発明に係る外部電極蛍光ランプ用のソケットは、前記電極の前記フランジ部は、内面に前記外部電極蛍光ランプの前記端部の端縁が接触されるとともに、前記端部に干渉しない位置に外面側からリード線の先端がそれぞれ差し込まれる２箇所の接続部が形成され、前記接続部は、前記リード線の先端の挿入方向に観音開き状に開かれた状態でそれぞれの先端縁の間に前記リード線の先端が差し込まれる挿着間隙を構成する一対の舌片を有し、前記蓋部材は、２箇所の前記接続部に対応する位置に、前記リード線が貫通するための透孔を有する、ことを特徴とする。
【０００９】
請求項２に係る発明は、請求項１に係る外部電極蛍光ランプ用のソケットにおいて、前記電極の２箇所の前記接続部は、前記フランジ部における中心から外れた位置で、かつ前記中心に対してほぼ点対称の位置に配置されている、ことを特徴としている。
【００１０】
請求項３に係る発明は、請求項１又は２に係る外部電極蛍光ランプ用のソケットにおいて、前記ソケット本体は、前記リード線の先端が前記接続部に挿入される際の反力要素となるストッパ部を有する、ことを特徴としている。
【００１１】
請求項４に係る発明は、請求項１ないし３のいずれか１項に係る外部電極蛍光ランプ用のソケットにおいて、前記蓋部材に対応する底部と前記ソケット本体の外周面に対応する筒部とを有し、前記蓋部材に被嵌されて前記ソケット本体の内部を密閉する防水カバーを備え、前記底部には、前記蓋部材の前記透孔に対応する位置に、前記リード線が貫通する防水ボスが形成されている、ことを特徴としている。
【００１２】
請求項５に係る発明は、請求項４に係る外部電極蛍光ランプ用のソケットにおいて、前記防水カバーの前記筒部は、前記ソケット本体の外周面に接触する内周面に、環状の第１防水凸部を有する、ことを特徴としている。
【００１３】
請求項６に係る発明は、請求項５に係る外部電極蛍光ランプ用のソケットにおいて、前記防水カバーの前記筒部は、前記外部電極蛍光ランプが筒状のケース内に収納されている場合の前記ケースの外周面に接触する内周面に、環状の第２防水凸部を有する、ことを特徴としている。
【発明の効果】
【００１４】
請求項１の発明によると、電極のフランジ部に形成された接続部は、ＥＥＦＬ管の端部に干渉しない位置に形成されているので、ＥＥＦＬ管の端縁をフランジ部の内面に接触するまで電極に挿入することができ、これにより、ソケット及びＥＥＦＬ管を含む全長を短くすることができる。また、接続部は、観音開き状の舌片によって形成しているので、ＥＥＦＬ管の端部に干渉しない位置に形成した場合であっても、舌片が片持ち状態の場合と比較して、フランジ部の面積の増加を抑制することができる。すなわち、全長及びソケットの直径を小さくして、全体のコンパクト化を図ることができる。また舌片が観音開き状に形成されているので（前述の片持ち状態と比較して）、挿着空間にリード線の先端を挿入する際、舌片が開きやすく、円滑な挿入動作が可能となる。また、リード線の先端が挿着空間に差し込まれた後は、リード線に引き抜き方向の力が作用した場合（前述の片持ち状態と比較して）、舌片に閉じ方向の力が大きく作用するので、リード線４が抜けにくい。
【００１５】
請求項２の発明によると、電極の２箇所の接続部が、フランジ部における中心から外れた位置で、かつ中心に対してほぼ点対称の位置に配置されているので、例えば、隣接する２個の外部電極蛍光ランプ用のソケットを１本のリード線で相互に接続する場合に、接続部がフランジ部の中心近傍に設けてある場合と比較して、一方のソケットの１つの接続部と他方のソケットの１つの接続部とを近づけることができるので、リード線の長さを短くすることが可能である。また、同じ長さのリード線を使用する場合には、長さに余裕ができるため、その分、接続部に対する先端の挿入動作が行いやすいものとなる。
【００１６】
請求項３の発明によると、リード線の先端を電極の接続部に挿入する際、ソケット本体のストッパ部が反力要素となって、電極の不要な移動や不要な変形が阻止されるので、挿入動作が円滑なものとなる。
【００１７】
請求項４の発明によると、防水ボスにより、防水カバーとリード線との間の防水性を向上させることができる。さらに、本請求項に係る発明を請求項２，３に係る発明に適用した場合、例えば、隣接する２個の外部電極蛍光ランプ用のソケットを１本のリード線によって接続する場合、接続部がフランジ部の中心近傍に設けてある場合と同じ長さのリード線を使用したときには、長さに余裕ができるため、防水ボスがリード線によって他方のソケット側に引っ張られることに起因する防水ボスの変形による防水性の低下を抑制することができる。
【００１８】
請求項５の発明によると、防水カバーの筒部の内周面に形成した第１防水凸部が、ソケット本体の外周面に対して環状に接触するので、ソケット本体と防水カバーとの間の防水性を向上させることができる。
【００１９】
請求項６の発明によると、防水カバーの筒部の内周面に形成した第２防水凸部が、ケースの外周面に対して環状に接触するので、ケースと防水カバーとの間の防水性を向上させることができる
【発明を実施するための最良の形態】
【００２０】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２１】
図１〜図５を参照して、本実施形態に係る外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ管）用のソケット（以下単に「ソケット」という。）１０について説明する。なお、本実施形態では、ＥＥＦＬ管１が透明なクリア管（ケース）２によって覆われている場合を例に説明する。このように、ＥＥＦＬ管１がクリア管２に覆われていると、ＥＥＦＬ管１の保温性を向上させることができるので、ＥＥＦＬ管１の点灯時にその明るさを保持することができる。
【００２２】
上述の図１〜図５のうち、図１はソケット１０を説明する図であり、（ａ）はソケット１０を、その中心軸Ｘを含む垂直な平面で切ったときの断面を示す正面図であり、（ｂ）はソケット１０を、その中心軸Ｘを含む水平な平面で切ったときの断面を示す上面図であり、（ｃ）は正面図に対応する右側面図である。
【００２３】
図２はソケット本体１１を説明する図であり、（ａ）は正面図、（ｂ）は上面図、（ｃ）は正面図に対応する左側面図、（ｄ）は上面図に対応する右側面図、（ｅ）は（ｃ）のＡ−Ａ線矢視図、（ｆ）は（ｃ）のＢ−Ｂ線矢視図、（ｇ）は（ｅ）のＣ−Ｃ線矢視図である。
【００２４】
図３は電極１２を説明する図であり、（ａ）は正面図、（ｂ）は上面図、（ｃ）は上面図に対応する左側面図、（ｄ）は（ｂ）のＡ−Ａ線矢視図である。
【００２５】
図４は蓋部材１３を説明する図であり、（ａ）は正面図、（ｂ）は上面図、（ｃ）は正面図に対応する左側面図、（ｄ）は正面図に対応する右側面図、（ｅ）は（ｄ）のＡ−Ａ線矢視図、（ｆ）は（ｄ）のＢ−Ｂ線矢視図である。
【００２６】
図５は防水カバー１４を説明する図であり、（ａ）は正面図、（ｂ）は正面図に対応する左側面図、（ｃ）は正面図に対応する右側面図、（ｄ）は（ｂ）のＡ−Ａ線矢視図である。
【００２７】
なお、以下の説明では、ソケット１０における図１（ａ），（ｂ）の左側に位置する部分を基端側、また同図中の右側に位置する部分を先端側というものとする。
【００２８】
図１（ａ），（ｂ）を参照して、ソケット１０全体の概略を説明する。同図に示すように、ソケット１０は、ほぼ円筒状のソケット本体１１と、このソケット本体１１の内側に収納された電極１２と、ソケット本体１１の基端側（同図中では左側）の開口部を閉蓋する蓋部材１３と、ソケット本体１１を蓋部材１３側から覆ってソケット本体１１の内部を密閉する防水カバー１４と、を備えている。
【００２９】
同図に示すように、ＥＥＦＬ管１は、基端部に接触面３を有していて、ソケット本体１１に対してその先端側の開口部２２から挿入されて、挿着状態において、接触面３を電極１２に接触させるようにしている。
【００３０】
また、同図に示すように、ソケット１０には、２本のリード線４，４が基端側から接続されている。各リード線４は、芯線５とこれを覆う被覆部６とによって構成されていて、リード線４の先端側は、被覆部６が切除されて芯線５が露出している。２本のリード線４，４は、それぞれ防水カバー１４及び蓋部材１３を基端側から先端側に向けて（左方から右方に向けて）貫通して、その先端の芯線５を電極３の一部に係合（接触）させている。
【００３１】
つづいて、図２〜図５を参照して、上述のソケット１０を構成する各部材について詳述する。
【００３２】
図２（ａ）〜（ｇ）に示すように、ソケット本体１１全体は、ほぼ円筒状に形成されていて、先端側には小径部２０を、また基端側には大径部２１を有している。小径部２０の先端側には、ＥＥＦＬ管１が挿着される開口部２２が設けてある。（ａ）に示すように、小径部２０における中心線Ｘに沿った方向の先端側のほぼ半分、つまり符号ａで示す部分は、先端側がわずかに細くなるテーパ状に形成されている。これは、図１に示すクリア管２に対する装着を容易にするためである。一方、大径部２１の基端側には、蓋部材１３が装着される開口部２３が設けてある。また大径部２１の基端側には、２つの切欠状のガイド部２４，２５が中心線Ｘに沿って形成されている。図２（ｃ）に示すように、ガイド部２４，２５は、中心線Ｘに対して対称な位置に配置されており、ガイド部２４は幅狭に、またガイド部２５は幅広に形成されている。これらガイド部２４，２５は、開口部２３に対して、後述する蓋部材１３を装着する際のガイドとなるものである。また、後述する電極１２は、その連結部３２がこのガイド部２５に合った場合に限って、ソケット本体１１に対する装着が可能となる。つまり、ガイド部２５は、ソケット本体１１に対して電極１２を装着する際に、中心軸Ｘの周りの回転方向の位置決めを行うことになる。
【００３３】
図２（ａ），（ｅ），（ｆ）に示すように、大径部２１の基端側には、中心線Ｘを基準に対称となる位置の２箇所にそれぞれ角穴２６が形成されている。これらの角穴２６は、後述する蓋部材１３のフック４２が係合されるものである。（ｃ），（ｅ）に示すように、大径部２１の内周面には、後述する電極１２のフランジ部３１の周縁部３４が当接される環状の台座２７が形成されている。この台座２７は、上述のガイド部２５に対応する部分には設けられていない。この部分に台座２７が設けてあると、電極１２をソケット本体１１に対してその基端側から挿入する際に、電極１２の連結部３２が干渉して挿入できなくなるためである。（ｃ），（ｅ）に示すように、大径部２１の内周面における、小径部２０との境界近傍には、（ｃ）に示すガイド部２５の両端に対応する位置に、ストッパ部２８，２８が突設されている。このストッパ部２８，２８は、上述の台座２７が切れた位置に対応している。これらストッパ部２８は、図１に示すリード線４を電極１２に差し込む際に、電極１２の連結部３２の肩部３３に当接して、電極１２が不要に移動するのを防止するためのものである。
【００３４】
図３（ａ）〜（ｃ）に示すように、電極１２は、中心軸Ｘに沿って配設された一対の長板状の接触部３０と、基端側に配置されたほぼ円板状のフランジ部３１と、一対の接触部３０の基端側とフランジ部３１とを繋ぐ屈曲板状の連結部３２とを有しており、全体が導電性の金属板によって一体的に形成されている。上述の接触部３０は、その内周面がＥＥＦＬ管１の接触面３に倣った円弧状に形成されている。連結部３２は、中心軸Ｘに沿った方向のほぼ中間部に、屈曲された肩部３３を有している。
【００３５】
図３（ｃ）に示すように、フランジ部３２は、上述の図２（ｃ）に示すソケット本体１１の基端側の開口部２３の形状にほぼ倣った形状に形成されている。図３（ｃ）に示すように、フランジ部３１は、上述のソケット本体１１の台座２７に当接される周縁部３４と、２箇所の接続部３５，３５を有している。これら接続部３５，３５は、フランジ部３１の中心軸（中心）Ｘから外れた位置で、かつ中心軸Ｘに対して点対称となる位置に配置されている。各接続部３５は、先端側（図３（ａ），（ｂ）における右側）に向けて観音開き状に切り起こされた一対の舌片３６，３６を有している。これら舌片３６，３６は、図３（ｃ）に示すように、ＥＥＦＬ管１（二点鎖線で図示）の端部に干渉しないように、フランジ部３１の中心軸Ｘから外れた位置で、フランジ部３１の内面（裏面）３８側に切り起こされている。これにより、図１（ａ），（ｂ）に示すように、電極１２に対して、ＥＥＦＬ管１を、その端部の端縁７がフランジ部３１の内面３８に接触するまで挿入することができ、ＥＥＦＬ管１及びソケット１０を含む全体の長さ（全長）を従来に比べて短くすることができる。また、これにより、ＥＥＦＬ管１の端部に存在する光らない部分をソケット１０で隠そうとする際に、ソケット１０の長さが短くてすむことになる。また、舌片がＥＥＦＬ管１の端部に干渉しない構成を、背景技術で説明したような片持ち状態の舌片で実現する場合と比較して、フランジ部の面積を小さくして、ソケット１０の直径を小さくする（太さを細くする）ことが可能である。すなわち、本発明に係るソケット１０は、その長さ方向（図１（ａ），（ｂ）中における左右方向）、及び径方向（図１（ａ），（ｂ）中における上下方向）の長さを短くして、全体をコンパクト化することができる。
【００３６】
舌片３６，３６の先端縁３７，３７の間には、リード線４の先端の芯線５が差し込まれる挿着間隙Ｇが形成されている。舌片３６は、（ａ）に示すように、フランジ部３１に対する角度αが、１３０度≦α≦１５０度となるように切り起こされている。このような角度αに設定することにより、リード線４は、挿着間隙Ｇに対する芯線５の挿入が比較的容易で、かつ挿入後には、引き抜かれにくくなる。
【００３７】
図４（ａ）〜（ｆ）に示すように、蓋部材１３は、厚さの厚いほぼ円板状に形成されている。図４（ａ），（ｃ）に示すように、蓋部材１３の外周面には、上述のソケット本体１１のガイド部２４，２５によってそれぞれガイドされる凸部４０，４１が突設されている。また、図４（ａ）〜（ｄ）に示すように、蓋部材１３の外周面における先端側には、上述のソケット本体１１の角穴２６，２６に係合されるフック４２，４２が突設されている。これらフック４２，４２は、角穴２６，２６に係合された後は、外すことが困難な形状に形成されている。図４（ｃ），（ｄ），（ｅ）に示すように、蓋部材１３には、厚さ方向に貫通する透孔４３，４３が穿設されている。これら透孔４３，４３は、先端側に向けて徐々に縮径するテーパ部４４，４４を有している。これら透孔４３，４３は、上述の電極１２の接続部３５，３５の挿着間隙Ｇに対応する位置に穿設されている。図４（ｃ），（ｆ）に示すように、蓋部材１３の基端側の面には、次に説明する防水カバー１４の回転方向の位置決めを行うための方形の凹部４５，４５が形成されている。
【００３８】
図５（ａ）〜（ｄ）に示すように、防水カバー１４は、筒部５６と底部５７とを有するほぼ有底円筒状に形成されている。防水カバー１４は、筒部５６の先端側に開口部５０を有し、基端側には、２個の円筒状の防水ボス５１，５１が突設されている。これら防水ボス５１，５１は、上述の蓋部材１３の透孔４３，４３に対応する位置に配置されていて、内側には透孔５２，５２が形成されている。また、防水ボス５１，５１の内周面には、（ｄ）に示すように、環状の防水凸部５３，５３が形成されている。また、防止カバー１４の内周面における基端側には２箇所に環状の第１防水凸部５４，５４が形成され、また先端側には２箇所の環状の第２防水凸部５５，５５が形成されている。図１（ａ），（ｂ）に示すように、第１防水凸部５４，５４は、ソケット本体１１の大径部２１の外周面に押圧され、また、第２防水凸部５５，５５は、クリア管２の外周面に押圧され、これにより、ソケット本体１１内を密閉するようにしている。（ａ）〜（ｄ）に示すように、底部５７の内面には、上述の蓋部材１３の凹部４５，４５に嵌合する凸部５８，５８が突設されている。防水カバー１４は、例えば、シリコーンゴムによって形成されている。
【００３９】
以上説明したソケット１０は、図１（ａ）〜（ｃ）に示すように、ソケット本体１１に対し、その基端側から電極１２を挿入した後、蓋部材１３を嵌める。さらに、ソケット本体１１に対し、その先端側の開口部２２からＥＥＦＬ管１をその端縁７が電極１２のフランジ部３１の内面３８に当接するまで挿入してＥＥＦＬ管１の接触面３を電極１２に接触させ、クリア管２をソケット本体１１に嵌める。最後に、防水カバー１４を蓋部材１３からクリア管２にかけて被せることで、全体を構成することができる。
【００４０】
このソケット１０に対して、２本のリード線４を、防水カバー１４の透孔５２及び蓋部材１３の透孔４３を貫通させて、芯金５を電極１２のフランジ部３１の舌片３６，３６の間の挿着間隙Ｇに差し込む。これにより、ソケット１０に対するリード線４の取り付けが完了する。
【００４１】
本実施形態に係るソケット１０によると、長さ及び直径を小さくしてコンパクト化することができ、しかも、電極１２の舌片３６，３６の間の挿着間隙Ｇに対するリード線４の芯線５の挿入動作を円滑に行うことができ、また挿着後には、リード線４の芯線５が挿着間隙Ｇから抜けにくくすることができる。
【００４２】
図６に示すように、本発明に係るソケット１０は、クリア管２のないＥＥＦＬ管１に対しても、適用することができる。つまり、ソケット１０は、クリア管２があるソケットに対しても、またクリア管２がないソケットに対しても、共通で（兼用で）使用することができる。ただし、この場合には、ソケット本体１１の先端部に別の防水カバー６０を被せて、ソケット本体１１の先端部とＥＥＦＬ管１との間の密閉を図る必要がある。防水カバー６０は、その内径が小さい部分と大きい部分とがあり、それぞれに環状の防水凸部６１，６２が形成されている。防水凸部６１は、防水カバー６０とＥＥＦＬ管１との間を密閉するものであり、また防水凸部６２は、防水カバー６０とソケット本体１１との間を密閉するものである。これらにより、ＥＥＦＬ管１とソケット本体１１と間の防水を図っている。
【図面の簡単な説明】
【００４３】
【図１】ソケットを説明する図であり、（ａ）はソケットを、その中心軸を含む垂直な平面で切ったときの断面を示す正面図であり、（ｂ）はソケットを、その中心軸を含む水平な平面で切ったときの断面を示す上面図であり、（ｃ）は正面図に対応する右側面図である。
【図２】ソケット本体を説明する図であり、（ａ）は正面図、（ｂ）は上面図、（ｃ）は正面図に対応する左側面図、（ｄ）は上面図に対応する右側面図、（ｅ）は（ｃ）のＡ−Ａ線矢視図、（ｆ）は（ｃ）のＢ−Ｂ線矢視図、（ｇ）は（ｅ）のＣ−Ｃ線矢視図である。
【図３】電極を説明する図であり、（ａ）は正面図、（ｂ）は上面図、（ｃ）は上面図に対応する左側面図、（ｄ）は（ｂ）のＡ−Ａ線矢視図である。
【図４】蓋部材を説明する図であり、（ａ）は正面図、（ｂ）は上面図、（ｃ）は正面図に対応する左側面図、（ｄ）は正面図に対応する右側面図、（ｅ）は（ｄ）のＡ−Ａ線矢視図、（ｆ）は（ｄ）のＢ−Ｂ線矢視図である。
【図５】防水カバーを説明する図であり、（ａ）は正面図、（ｂ）は正面図に対応する左側面図、（ｃ）は正面図に対応する右側面図、（ｄ）は（ｂ）のＡ−Ａ線矢視図である。
【図６】本発明に係るソケットをクリア管を有さないＥＥＦＬ管に適用した例を示す、図１（ａ）に相当する図である。
【図７】従来の電極を説明する図であり、（ａ）は正面図、（ｂ）は上面図、（ｃ）は上面図に対応する左側面図である。
【符号の説明】
【００４４】
１          ＥＥＦＬ管（外部電極蛍光ランプ）
２          クリア管（ケース）
３          接触面
４          リード線
７          ＥＥＦＬ管の端部の端縁
１０        ソケット（外部電極蛍光ランプ用のソケット）
１１        ソケット本体
１２        電極
１３        蓋部材
１４        防水カバー
２２        開口部（一方の開口部）
２３        開口部（他方の開口部）
２８        ストッパ部
３０        接触部
３１        フランジ部
３５        接続部
３６        舌片
３７        先端縁
３８        電極のフランジ部の内面
４３        蓋部材の透孔
５１        防水ボス
５４        第１防水凸部
５５        第２防水凸部
５６        筒部
５７        底部
Ｇ          挿着間隙
Ｘ          中心軸
【図１】
2007335161.tif 000003
【図２】
2007335161.tif 000004
【図３】
2007335161.tif 000005
【図４】
2007335161.tif 000006
【図５】
2007335161.tif 000007
【図６】
2007335161.tif 000008
【図７】
2007335161.tif 000009